(57)【特許請求の範囲】
【請求項１】
太陽光を受光して電力に変換する複数の太陽電池パネルが屋根面に縦横に配列された太陽電池付屋根であって、
矩形の平面形状を有する定形太陽電池パネル、およびこの定形太陽電池パネルとは平面形状の異なる異形太陽電池パネルを備え、
前記定形太陽電池パネルは、太陽光を受光する受光面を形成するとともに、太陽光で発電を行う所定枚数のソーラーセルを有し、
前記異形太陽電池パネルは、前記定形太陽電池パネルの受光面とは、形状および面積の異なる第１異形受光面および第２異形受光面を有し、前記第１異形受光面および第２異形受光面は、それぞれ異なる傾斜の屋根面に沿って設けられるとともに、互いに枠体を介して一体に形成され、かつ太陽光で発電を行う所定枚数のソーラーセルを有し、
前記第１異形受光面および第２異形受光面を形成するソーラーセルは、前記定形太陽電池パネルの受光面を形成するソーラーセルと略同一形状とされるとともに、当該第１異形受光面および第２異形受光面を形成するソーラーセルの枚数の和と、前記定形太陽電池パネルの受光面を形成するソーラーセルの枚数とが同じであることを特徴とする太陽電池付屋根。
【請求項２】
請求項１に記載の太陽電池付屋根において、
前記第１異形受光面および第２異形受光面を形成するソーラーセルは、略同一平面形状の異形ケース内にそれぞれ設けられていることを特徴とする太陽電池付屋根。
【請求項３】
請求項２に記載の太陽電池付屋根において、
前記各異形ケースの周縁には、当該異形ケースの周りを囲む異形枠体がそれぞれ設けられ、
前記２つの異形枠体は、略同一平面形状とされているとともに、それぞれ前記異なる傾斜の屋根面に沿って設けられていることを特徴とする太陽電池付屋根。
【請求項４】
請求項３に記載の太陽電池付屋根において、
前記各異形枠体は、平面略台形状に形成されているとともに、当該各異形枠体の面積は、前記各異形受光面の受光面積よりも大きく、
前記各異形ケースは、前記ソーラーセルが設けられない空きスペースを有していることを特徴とする太陽電池付屋根。
【請求項５】
請求項４に記載の太陽電池付屋根において、
前記定形太陽電池パネルは、平面長方形状に形成されているとともに、前記異形太陽電池パネルは、平面台形状に形成され、
前記異形太陽電池パネルの下底の長さ寸法と上底の長さ寸法との差は、前記定形太陽電池パネルの一辺の長さ寸法となっていることを特徴とする太陽電池付屋根。
【発明の詳細な説明】
【０００１】
【発明の属する技術分野】
本発明は、太陽光を受光して電力に変換する複数の太陽電池パネルが屋根面に縦横に配列された太陽電池付屋根に関する。
【０００２】
【背景技術】
従来より、環境や生態系に悪影響を与えないクリーンなエネルギーとして太陽エネルギーが知られている。太陽エネルギーを利用するに当たり、太陽の光を電気に変換する太陽電池が利用されている。このような太陽電池を家庭でも利用できるようにするために、屋根面に太陽電池が設置された太陽電池付屋根が知られている。
太陽電池付屋根に設置される太陽電池は、水による漏電や短絡等の事故を未然に防止する必要があり、太陽電池であるソーラーセルを平板状の完全防水ケースの内部に収めて太陽電池パネルとして設置されている。この太陽電池パネルは、一枚で所定の電圧および電力が得られるように、所定枚数のソーラーセルを有するものとなっている（特開平１０−１４０７７０号公報等参照）。
【０００３】
ここで、切妻屋根は、平面長方形状の屋根面を有しているので、同一形状の太陽電池パネルを張り付けていけばよく、一般的に平面矩形状の太陽電池パネル、いわゆる定形太陽電池パネルが利用されている。
一方、寄棟屋根は、平面三角形状および平面台形状の屋根面を有しているので、太陽電池パネルが張り付けられない余白部分を生じさせないために、切妻屋根に用いられる定形太陽電池パネルの他に、平面三角形状や平面台形状の太陽電池パネル、いわゆる異形太陽電池パネルが利用されている。
【０００４】
【発明が解決しようとする課題】
しかしながら、寄棟屋根のように、定形太陽電池パネルと異形太陽電池パネルとを組み合わせて利用する場合、当該定形太陽電池パネルと異形太陽電池パネルとでは、受光面積が異なるうえ、その受光面を形成するソーラーセルの枚数も異なるので、電気的特性が相違している。このため、このような太陽電池パネルでは、太陽電池パネルの電気的な接続をするに当たり、これら太陽電池パネルの電気的な取り扱いが複雑になるという問題がある。
【０００５】
本発明の目的は、太陽電池パネルの電気的な取り扱いが容易となる太陽電池付屋根を提供することにある。
【０００６】
【課題を解決するための手段】
本発明は、図面を参照して説明すると、太陽光を受光して電力に変換する複数の太陽電池パネル３０、５０が屋根面１４、１５に縦横に配列された太陽電池付屋根１０であって、矩形の平面形状を有する定形太陽電池パネル（例えば、長方形太陽電池パネル３０）、およびこの定形太陽電池パネルとは平面形状の異なる異形太陽電池パネル（例えば、台形太陽電池パネル５０）を備え、定形太陽電池パネルは、太陽光を受光する受光面３７を形成するとともに、太陽光で発電を行う所定枚数のソーラーセルを有し、異形太陽電池パネルは、定形太陽電池パネルの受光面３７とは、形状および面積の異なる第１異形受光面および第２異形受光面を有し、前記第１異形受光面および第２異形受光面は、それぞれ異なる傾斜の屋根面に沿って設けられるとともに、互いに枠体を介して一体に形成され、かつ太陽光で発電を行う所定枚数のソーラーセルを有し、前記第１異形受光面および第２異形受光面を形成するソーラーセルは、前記定形太陽電池パネルの受光面を形成するソーラーセルと略同一形状とされるとともに、当該第１異形受光面および第２異形受光面を形成するソーラーセルの枚数の和と、前記定形太陽電池パネルの受光面を形成するソーラーセルの枚数とが同じであることを特徴とする。
このような本発明によれば、例えば、定形太陽電池パネルと異形太陽電池パネルとを組み合わせて寄棟屋根を葺く場合、異形太陽電池パネルの寸法を、定形太陽電池パネルの寸法に応じて設定するだけでよく、従来に比べて、定形太陽電池パネルと異形太陽電池パネルとの発電量の相違を考慮する必要がない。これにより、太陽電池パネルの電気的な取り扱いが容易となる。
【０００７】
以上において、第１異形受光面５８Ａおよび第２異形受光面５８Ｂを形成するソーラーセル５７は、略同一平面形状の異形ケース（例えば、ケース５１）内にそれぞれ設けられていることが好ましい。
このように、第１異形受光面および第２異形受光面を形成するソーラーセルがそれぞれ設けられる異形ケースを、略同一平面形状とすれば、同じ構成の異形太陽電池パネルを２個組み合わせればよいので、太陽電池パネルの生産性を向上させることが可能となる。
【０００８】
また、前述の第１異形受光面５８Ａおよび第２異形受光面５８Ｂを形成するソーラーセル５７は、定形太陽電池パネルの受光面３７を形成するソーラーセル３６と略同一形状とされ、第１異形受光面５８Ａおよび第２異形受光面５８Ｂをそれぞれ形成するソーラーセル５７の枚数の和は、受光面３７を形成するソーラーセル３６の枚数と同じである。
このように、異形太陽電池パネルで用いるソーラーセルの形状を、定形太陽電池パネルで用いるソーラーセルと略同一形状とすれば、特殊な形状のソーラーセルが不要となるので、異形太陽電池パネルを製造する際に、部品の種類がほとんど増えることがなく、この点からも、太陽電池パネルの生産性を向上させることが可能となる。
その上、形状が同じソーラーセルの枚数を、定形太陽電池パネルと、２つの異形太陽電池パネルとで同じにすれば、得られる電力が略同じになるので、発電量を簡単に合わせることが可能となり、これにより、太陽電池パネルの電気的な取り扱いがより一層容易となる。
【０００９】
さらに、前述の各異形ケース（例えば、ケース５１）の周縁には、当該異形ケースの周りを囲む異形枠体（例えば、フレーム５２）がそれぞれ設けられ、この２つの異形枠体は、略同一平面形状とされているとともに、それぞれ前記異なる傾斜の屋根面に沿って設けられていることが好ましい。
ここで、２つの異形枠体の平面形状としては、例えば、寄棟屋根の平面台形状の屋根面に太陽電池パネルを設ける場合、定形太陽電池パネルが設けられない部分に応じて形成されたものが採用できる。
そして、２つの異形枠体を略同一平面形状とすれば、例えば、寄棟屋根の平面台形状の屋根面に太陽電池パネルを設ける場合、当該屋根面に太陽電池パネルが張り付けられない余白部分が生じることがなく、これにより、十分な電力を得ることが可能となる。
【００１０】
また、前述の各異形枠体（例えば、フレーム５２）は、平面略台形状に形成されているとともに、当該各異形枠体の面積は、各異形受光面の受光面積よりも大きく、各異形ケースは、ソーラーセル５７が設けられない空きスペース５９を有していることが望ましい。
このようにすれば、定形太陽電池パネルの大きさに応じて異形太陽電池パネルの各寸法を設定しても、定形太陽電池パネルに設けられているソーラーセルの半数を確実に配置することが可能となる。この点からも、発電量を確実、かつ、簡単に合わせることが可能となり、太陽電池パネルの電気的な取り扱いがさらにより一層容易となる。
【００１１】
さらに、前述の定形太陽電池パネルは、平面長方形状に形成されているとともに、異形太陽電池パネルは、平面台形状に形成され、異形太陽電池パネルの下底の長さ寸法Ｂと上底の長さ寸法Ａとの差は、定形太陽電池パネルの一辺の長さ寸法Ｃとなっていることが好ましい。
このようにすれば、例えば、寄棟屋根の平面台形状の屋根面に太陽電池パネルを設ける場合、太陽電池パネルが張り付けられない余白部分を確実になくすことが可能となり、当該屋根面を最大限有効に活用することが可能となる。これにより、屋根面の大きさに応じて十分な電力を得ることが可能となる。
【００１２】
【発明の実施の形態】
以下に本発明の実施の形態を図面に基づいて説明する。
図１には、本発明の第一実施形態に係る建物１が示されている。この建物１は、基礎２の上に形成された建物本体３と、この建物本体３の上に形成された屋根１０とを備えたものである。
このうち、屋根１０は、水平に延びる大棟１１と、この大棟１１の端部から斜め下方に延びる下り棟１３とを有する寄棟式の屋根である。大棟１１には、当該大棟１１の長手方向に沿って延びる大棟用笠木部材１１Ａが設けられている。下り棟１３には、当該下り棟１３に沿って延びる下り棟用笠木部材（図示略）が設けられている。
【００１３】
屋根１０は、三角形状に形成された妻側屋根面１４と、台形状に形成された桁側屋根面１５とを有している。
妻側屋根面１４および桁側屋根面１５には、下り棟１３に沿って異形太陽電池パネルである平面台形状の台形太陽電池パネル５０が配列されるとともに、残りの部分に定形太陽電池パネルである平面長方形状の長方形太陽電池パネル３０が配列されている。これにより、屋根１０は、太陽電池付屋根となっている。
各太陽電池パネル３０、５０は、屋根面１４、１５の傾斜方向に沿った両側の端縁が、当該傾斜方向に沿って延びる一対の支持部材４０に支持されている。
ここで、台形太陽電池パネル５０の上底の長さ寸法Ａと、下底の長さ寸法Ｂとの差は、長方形太陽電池パネル３０の一辺の長さ寸法Ｃとなっている。これにより、各屋根面１４、１５に太陽電池パネル３０、５０が隙間なく配列されるようになっている。
【００１４】
長方形太陽電池パネル３０は、図２に示されるように、太陽光で発電を行う所定枚数のソーラーセル（後述）を収めた平板状の完全防水ケース３１と、このケース３１の周縁を囲む四角枠状のフレーム３２とを備えている。
フレーム３２は、各屋根面１４、１５の傾斜方向に沿って左右に配置される２本の縦枠部３３と、これら縦枠部３３の上下端を接続し、かつ、各屋根面１４、１５の桁方向に沿って配置されている上枠部３４および下枠部３５とを備えて形成されている。これらのケース３１およびフレーム３２により、長方形太陽電池パネル３０全体の防水および補強がなされ、長方形太陽電池パネル３０内のソーラーセルは、雨水による漏電および短絡等の事故、ならびに長方形太陽電池パネル３０の表面に加わる荷重等から保護されるようになっている。
【００１５】
台形太陽電池パネル５０は、図２に示されるように、太陽光を電力に変換する所定枚数のソーラーセル（後述）が収納された平板状、かつ、平面台形状の異形ケースである完全防水ケース５１と、このケース５１の周縁を囲む異形枠体である平面台形状のフレーム５２とを備えている。
フレーム５２は、屋根面１４、１５の傾斜方向と直交する方向に沿って延びるとともに、上下に対向配置された上枠部５３および下枠部５４と、当該屋根面の傾斜方向に沿って延びる側方枠部５５と、この側方枠部５５に対して傾斜するとともに、下り棟１３に沿って延びる斜枠部５６とを備えている。
これら上枠部５３、下枠部５４、側方枠部５５、および斜枠部５６により、台形太陽電池パネル５０全体の防水および補強がなされ、内部のソーラーセルが雨水による漏電や短絡等の事故および太陽電池パネル５０の表面に加わる荷重等から保護されている。
ここで、各台形太陽電池パネル５０のケース５１およびフレーム５２は、それぞれ略同一平面形状とされている。
また、各太陽電池パネル３０、５０間には、太陽電池パネル３０、５０同士の隙間を覆う細長いカバー材７０が設けられている。
【００１６】
長方形太陽電池パネル３０のケース３１内には、図３（Ａ）に示されるように、略長方形状に形成された３６枚のソーラーセル３６が配置されている。これらソーラーセル３６により、太陽光を受光する受光面３７が形成されている。
また、各台形太陽電池パネル５０のケース５１内には、図３（Ｂ）に示されるように、前記ソーラーセル３６と略同一形状に形成された略長方形状のソーラーセル５７が１８枚配置されている。これらソーラーセル５７により、前記受光面３７とは形状および面積の異なる異形受光面５８が形成されている。この異形受光面５８の受光面積は、ケース５１の面積よりも小さくなっており、これにより、ケース５１内には、ソーラーセル５７が設けられない空きスペース５９が設けられている。
【００１７】
従って、２つの異形受光面５８をそれぞれ形成するソーラーセル５７の和が、１つの受光面３７を形成するソーラーセル３６の枚数と同じとなっている。つまり、本実施形態では、２つの異形受光面５８である第１異形受光面５８Ａおよび第２異形受光面５８Ｂを組み合わせて得られる電気的特性が、長方形太陽電池パネル３０の受光面３７で得られる電気的特性と略同一となるように設定されている。
これら第１異形受光面５８Ａおよび第２異形受光面５８Ｂを有する２つの台形太陽電池パネル５０は、そのフレーム５２が各屋根面１４、１５の同一平面上に設けられて配置されている。言い換えると、各屋根面１４、１５の同一平面上には、台形太陽電池パネル５０が２枚１組で配置されている。
【００１８】
このような本実施形態によれば、次のような効果が得られる。
すなわち、２つの異形受光面５８である第１異形受光面５８Ａおよび第２異形受光面５８Ｂを組み合わせて得られる電気的特性を、長方形太陽電池パネル３０の受光面３７で得られる電気的特性と略同一となるようにしたので、長方形太陽電池パネル３０と台形太陽電池パネル５０とを組み合わせて寄棟屋根１０を葺く場合、台形太陽電池パネル５０の寸法を、長方形太陽電池パネル３０の寸法に応じて設定するだけでよい。これにより、太陽電池パネル３０、５０の電気的な取り扱いを容易に行うことができる。
【００１９】
また、第１異形受光面５８Ａおよび第２異形受光面５８Ｂを形成するソーラーセル５７を、略同一平面形状のケース５１内にそれぞれ設けたので、同じ構成の台形太陽電池パネル５０を２個組み合わせればよく、これにより、台形太陽電池パネル５０の生産性を向上させることができる。
【００２０】
さらに、ソーラーセル３６とソーラーセル５７とを略同一形状としたので、特殊な形状のソーラーセルが不要となり、台形太陽電池パネル５０を製造する際に、部品の種類がほとんど増えることがなく、この点からも、台形太陽電池パネル５０の生産性を向上させることができる。
【００２１】
また、形状が同じソーラーセル３６、５７の枚数を、長方形太陽電池パネル３０と、２つの台形太陽電池パネル５０とで同じにしたので、得られる電力が略同じになり、電気的特性を簡単に合わせることができ、これにより、太陽電池パネル３０、５０の電気的な取り扱いがより一層容易にできる。
【００２２】
さらに、台形太陽電池パネル５０のフレーム５２を略同一平面形状としたので、寄棟屋根１０の平面台形状の屋根面１５等に太陽電池パネル３０、５０を設ける場合、当該屋根面１５に太陽電池パネル３０、５０が張り付けられない余白部分が生じることがなく、これにより、十分な電力を得ることができる。
【００２３】
また、長方形太陽電池パネル３０と、第１異形受光面５８Ａおよび第２異形受光面５８Ｂを有する２つの台形太陽電池パネル５０とを、各屋根面１４、１５の同一平面上に設けたので、受光する太陽光の量が略同じとなり、長方形太陽電池パネル３０で得られる電力と、２つの台形太陽電池パネル５０で得られる電力とを同一にすることができる。これにより、電気的特性を確実、かつ、簡単に合わせることができ、太陽電池パネル３０、５０の電気的な取り扱いを、さらにより一層容易に行うことができる。
【００２４】
さらに、各ケース５１に、ソーラーセル５７が設けられない空きスペースがあるので、長方形太陽電池パネル３０の大きさに応じて台形太陽電池パネル５０の各寸法を設定しても、長方形太陽電池パネル３０に設けられているソーラーセル３６の半数を確実に配置することができる。この点からも、電気的特性を確実、かつ、簡単に合わせることができ、太陽電池パネル３０、５０の電気的な取り扱いをさらにより一層容易にできる。
【００２５】
また、台形太陽電池パネル５０の下底の長さ寸法Ｂと上底の長さ寸法Ａとの差が、長方形太陽電池パネル３０の一辺の長さ寸法Ｃとなるようにしたので、寄棟屋根１０の平面台形状の屋根面１５等に太陽電池パネル３０、５０を設ける場合、太陽電池パネル３０が張り付けられない余白部分を確実になくすことができ、当該屋根面１５等を最大限有効に活用することができる。これにより、屋根面１５等の大きさに応じて十分な電力を得ることができる。
【００２６】
図４には、本発明の第２実施形態に係る建物が示されている。なお、前記第１実施形態と同一または相当構成品には同じ符号を付し、説明を省略もしくは簡略する。
本実施形態は、前記第１実施形態の各屋根面１４、１５の同一平面上に配置していた２つの台形太陽電池パネル５０を、下り棟１３を挟んで２つの屋根面１４、１５に跨って配置した跨設形太陽電池パネル８０としたものである。
詳しくは、跨設形太陽電池パネル８０は、図５に示されるように、同一平面形状である２つの台形太陽電池パネル８０Ａ、８０Ｂの斜枠部８１同士を溶接等で接続することで形成されている。ここで、この台形太陽電池パネル８０Ａ、８０Ｂの斜枠部８１同士を接続する際の接続角度は、各屋根面１４、１５の傾斜角度に応じて設定されている。なお、各台形太陽電池パネル８０Ａ、８０Ｂの構造は、前記台形太陽電池パネル５０と略同じなので、ここでは省略する。
そして、台形太陽電池パネル８０Ａ、８０Ｂの各第１、第２異形受光面８２、８３を組み合わせて得られる電気的特性は、１枚の長方形太陽電池パネル３０の受光面３７で得られる電気的特性と略同一とされている。言い換えると、跨設形太陽電池パネル８０で得られる電力と、長方形太陽電池パネル３０で得られる電力とは、略同一となっている。
【００２７】
このような本実施形態によれば、前記第１実施形態と同様の効果が得られる上、跨設形太陽電池パネル８０は、２つの屋根面１４、１５に跨って設置させればよいので、当該跨設形太陽電池パネル８０の設置作業を簡単に行うことができ、これにより、屋根葺き作業を容易にできる。
【００２８】
なお、本発明は前記実施の形態に限定されるものではなく、本発明の目的を達成できる他の構成等を含み、以下に示すような変形等も本発明に含まれる。
例えば、屋根面の同一平面上に配置する異形太陽電池パネルとしては、平面台形状に限らず、例えば、図６に示されるように、平面三角形状の三角形太陽電池パネル９２が採用できる。つまり、異形太陽電池パネルの形状は、屋根面の大きさや形状に応じて適宜選択すればよい。
【００２９】
また、前記第１実施形態では、台形太陽電池パネル５０は、その上枠部５３および下枠部５４が大棟１１に沿うように配置されていたが、これに限らず、例えば、図７に示されるように、前記上枠部５３および下枠部５４が屋根面１４、１５の傾斜方向に沿うように台形太陽電池パネル５０を配置してもよく、台形太陽電池パネル５０の設置方向は、屋根面の大きさや形状に応じて適宜選択すればよい。
【００３０】
さらに、２つの屋根面に跨って設置される跨設形太陽電池パネルとしては、前記第２実施形態の形状に限らず、例えば、図８に示されるように、前記第２実施形態で用いられた跨設形太陽電池パネル８０を上下逆さまにした形状の跨設形太陽電池パネル９０でもよいし、図９に示されるように、２つの三角形太陽電池パネル９１Ａ、９１Ｂからなる跨設形太陽電池パネル９１でもよく、２つの屋根面の大きさや形状に応じて適宜選択すればよい。
【００３１】
また、前記第１実施形態では、台形太陽電池パネル５０の上底の長さ寸法Ａと、下底の長さ寸法Ｂとの差が、長方形太陽電池パネル３０の一辺の長さ寸法Ｃとなっていたが、これに限らず、例えば、太陽電池パネル３０が張り付けられない余白部分を確実になくすことができればよく、台形太陽電池パネルの寸法は実施に当たって適宜決めればよい。
【００３２】
さらに、前記第１実施形態では、ケース５１内に空きスペースを有していたが、これに限らず、例えば、長方形太陽電池パネル３０に設けられているソーラーセル３６の半数を確実に配置することができれば、なくてもよい。
【００３３】
また、前記第１実施形態では、２つの異形受光面５８をそれぞれ形成するソーラーセル５７の和が、１つの受光面３７を形成するソーラーセル３６の枚数と同じとなっていたが、これに限らず、例えば、２つの異形受光面５８である第１異形受光面５８Ａおよび第２異形受光面５８Ｂを組み合わせて得られる電気的特性が、長方形太陽電池パネル３０の受光面３７で得られる電気的特性と略同一となっていればよく、ソーラーセルの枚数は、実施に当たって適宜決めればよい。
【００３４】
さらに、前記第１実施形態では、長方形太陽電池パネル３０と台形太陽電池パネル５０とで設けているソーラーセルの形状が同一であったが、これに限らず、例えば、２つの異形受光面５８である第１異形受光面５８Ａおよび第２異形受光面５８Ｂを組み合わせて得られる電気的特性が、長方形太陽電池パネル３０の受光面３７で得られる電気的特性と略同一となっていればよく、ソーラーセルの形状は、実施に当たって適宜決めればよい。
【００３５】
また、前記第１実施形態では、２つの異形受光面５８である第１異形受光面５８Ａおよび第２異形受光面５８Ｂを組み合わせて得られる電気的特性を、長方形太陽電池パネル３０の受光面３７で得られる電気的特性と略同一としていたが、これに限らず、例えば、３つの異形受光面である第１異形受光面、第２異形受光面および第２異形受光面を組み合わせて得られる電気的特性を、長方形太陽電池パネル３０の受光面３７で得られる電気的特性と略同一としてもよい。要するに、台形太陽電池パネルの異形受光面を複数組み合わせて得られる電気的特性が、長方形太陽電池パネルの受光面で得られる電気的特性と略同一となればよく、台形太陽電池パネルの枚数は、実施に当たって適宜決めればよい。
【００３６】
【発明の効果】
以上に述べたように、本発明の太陽電池付屋根によれば、次のような効果がある。
すなわち、請求項１に記載の太陽電池付屋根によれば、例えば、定形太陽電池パネルと異形太陽電池パネルとを組み合わせて寄棟屋根を葺く場合、異形太陽電池パネルの寸法を、定形太陽電池パネルの寸法に応じて設定するだけでよく、従来に比べて、定形太陽電池パネルと異形太陽電池パネルとの電気的特性の相違を考慮する必要がない。これにより、太陽電池パネルの電気的な取り扱いを容易にできる。
【図面の簡単な説明】
【図１】本発明の第１実施形態における建物を示す斜視図である。
【図２】前記実施形態における台形太陽電池パネルを示す拡大平面図である。
【図３】前記実施形態におけるソーラーセルの配置および枚数を示す概略図である。
【図４】本発明の第２実施形態における建物を示す斜視図である。
【図５】前記実施形態における跨設形太陽電池パネルを示す斜視図である。
【図６】本発明の変形例であって、平面三角形状の異形太陽電池パネルを示す拡大平面図である。
【図７】本発明の変形例であって、設置方向の異なる台形太陽電池パネルを示す拡大平面図である。
【図８】本発明の他の変形例であって、跨設形太陽電池パネルを示す斜視図である。
【図９】本発明の他の変形例であって、跨設形太陽電池パネルを示す斜視図である。
【符号の説明】
１４  妻側屋根面
１５  桁側屋根面
３０  定形太陽電池パネルである長方形太陽電池パネル
３６  ソーラーセル
３７  受光面
５０  異形太陽電池パネルである台形太陽電池パネル
５１  異形ケースであるケース
５２  異形枠体であるフレーム
５７  ソーラーセル
５８  異形受光面
５８Ａ  第１異形受光面
５８Ｂ  第２異形受光面
５９  空きスペース
Ａ  上底の長さ寸法
Ｂ  下底の長さ寸法
Ｃ  一辺の長さ寸法
【図１】
0004410890.tif 000002
【図２】
0004410890.tif 000003
【図３】
0004410890.tif 000004
【図４】
0004410890.tif 000005
【図５】
0004410890.tif 000006
【図６】
0004410890.tif 000007
【図７】
0004410890.tif 000008
【図８】
0004410890.tif 000009
【図９】
0004410890.tif 000010